(57)【要約】【課題】現在、番組表の一部に、放送中の番組をスケーリングした動画映像を表示し、プレビューとして用いる放送受信装置が実用化されている。しかし、放送中の番組の番組表に対応したプレビューは映像に音声が対応付けられておらず、番組表で指定する放送の音声を聞けるようにすることが課題となっていた。【解決手段】実施形態の放送受信装置は、同時に受信可能な複数の放送を、指定可能に表示する番組表を出力する番組表出力手段を備える。また、前記番組表で所定の放送が指定された場合に、前記指定された放送に切替えて音声を出力する切替え出力手段を備える。【選択図】  図２
2011254364.tif 000002
【特許請求の範囲】
【請求項１】
同時に受信可能な複数の放送を、指定可能に表示する番組表を出力する番組表出力手段と、
前記番組表で所定の放送が指定された場合に、前記指定された放送に切替えて音声を出力する切替え出力手段を備える放送受信装置。
【請求項２】
前記番組表は、前記同時に受信した複数の放送に係る動画映像が同時に表示される請求項１に記載の放送受信装置。
【請求項３】
映像を表示する映像表示手段と、
同時に受信可能な複数の放送を、前記映像表示手段に指定可能に表示する番組表を出力する番組表出力手段と、
前記番組表で所定の放送が指定された場合に、前記指定された放送に切替えて音声を出力する切替え出力手段を備える映像表示装置。
【請求項４】
複数の放送に係る複数の動画像が表示される番組表を出力する番組表出力手段と、
前記番組表で指定された第１の放送に係る音声を出力する音声出力手段と、
前記第１の放送と同時に受信される第２の放送に前記番組表で指定変更された場合に、第２の放送に係る音声に切替えて出力する切替え出力手段を備える放送受信装置。
【請求項５】
同時に受信可能な複数の放送を、指定可能に表示する番組表を出力するステップと、
前記番組表で所定の放送が指定された場合に、前記指定された所定の放送に切替えて音声を出力するステップを備える放送受信方法。
【請求項６】
同時に受信可能な複数の放送に係る動画像を合わせた番組表を出力するステップと、
前記番組表で指定された第１の放送に係る音声を出力するステップと、
前記第１の放送と同時に受信される第２の放送に前記番組表で指定変更された場合に、第２の放送に係る音声に切替えて出力するステップを備える放送受信方法。
【発明の詳細な説明】
【技術分野】
【０００１】
本発明の実施形態は、複数の放送番組を同時に受信する放送受信装置に関する。
【背景技術】
【０００２】
現在、番組表から放送を指定することにより、所望の放送番組が視聴可能な、放送受信装置が実用化されている。
また、番組表の一部に、放送中の番組をスケーリングした動画映像を表示し、プレビューとして用いる放送受信装置が実用化されている。プレビューは、複数の放送を視覚的に確認できる。
【０００３】
しかし、番組表に対応したプレビューは、映像に音声が対応付けられておらず、番組表で指定する放送の音声を聞きたいという要望があった。
【先行技術文献】
【特許文献】
【０００４】
【特許文献１】特開2005-101859号公報
【発明の概要】
【発明が解決しようとする課題】
【０００５】
放送中の番組の番組表に対応したプレビューは映像に音声が対応付けられておらず、番組表で指定する放送の音声を聞けるようにすることが課題となっていた。
【課題を解決するための手段】
【０００６】
実施形態の放送受信装置は、同時に受信可能な複数の放送を、指定可能に表示する番組表を出力する番組表出力手段を備える。
また、前記番組表で所定の放送が指定された場合に、前記指定された放送に切替えて音声を出力する切替え出力手段を備える。
【図面の簡単な説明】
【０００７】
【図１】実施形態に係わる放送受信装置を示すブロック図。
【図２】実施形態に係わる放送受信装置から出力される、放送中の番組の音声が出力される番組表（現在番組表）の一例を示す図。
【図３】実施形態に係わる放送受信装置から出力される番組表（現在番組表）に係り、放送の指定変更に伴い、音声が切替え出力される番組表の一例を示す図。
【図４】実施形態に係わる映像表示装置に係り、番組表を用い、現在放送中の番組を探すフローチャート。
【図５】実施形態に係わる映像表示装置に係り、番組表ＯＮ時の音声信号選局フローチャート（実施例２）。
【図６】実施形態に係わる映像表示装置に係り、番組表ＯＦＦ時の音声選局フローチャート（実施例３）。
【発明を実施するための形態】
【０００８】
以下、図面を参照し、実施の形態を説明する。
＜実施例１＞
図１は、実施形態に係わる放送受信装置を示すブロック図である。
符号１は映像表示装置（ここでは録画も可能な録画装置）、符号２はアンテナ、符号３ａ、３b、３c、３d、３e、３fはチューナ、符号４は信号処理部、符号５は映像処理部、符号６は音声処理部、符号７は表示処理部、符号８は表示装置、符号９はスピーカ、符号１０はバス、符号１１は制御部、符号１２はＭＰＵ、符号１３はＲＡＭ、符号１４はＲＯＭ、符号１５はフラッシュメモリ、符号１６は録画装置、符号１７は外部インターフェース、符号１８は外部記憶装置、符号１９は操作受信部、符号２０は操作機器（リモートコントローラ）、符号２１は送受信部、符号２２は録画番組表生成部、符号２３は番組表作成部、符号２６はインターネットである。
【０００９】
符号２５ａ、２５ｂは放送番組を放送する放送局である。放送番組は放送局２５ａ、２５ｂ等、複数の放送局から複数の番組が放送される。
アンテナ２は映像表示装置（録画装置）１に接続される。符号３ａ、３b、３c、３d、３e、３fはチューナである。ここでは複数のチューナが構成される。
複数の放送局２５ａ、２５ｂ等から放送波の形態で放送された複数の番組（放送信号）が、アンテナ２で受信され、チューナ３ａ、３b、３c、３d、３e、３fに送信される。チューナ３ａ、３b、３c、３d、３e、３fでは、複数の番組（放送信号）を選局受信し、信号処理部４へ出力する。
【００１０】
ここでは、制御部１１のＭＰＵ１２は、チューナ（３ａ、３b、３c、３d、３e、３f）、信号処理部４、映像処理部５、音声処理部６、表示処理部７、ＲＡＭ１３、ＲＯＭ１４、フラッシュメモリ１５、録画装置１６、外部インターフェース１７、操作受信部１９、操作機器（リモートコントローラ）２０、送受信部２１とそれぞれ、バス１０を介して接続され、これらを制御する。
【００１１】
信号処理部４は、チューナ３ａ、３b、３c、３d、３e、３fで選局され、同時（並列）に送信された複数の番組に係る映像信号に同時（並列）にデコード処理を施し、トランスポートストリーム（ＴＳ）のフォーマットで、音声処理部６、映像処理部５、録画装置１６へ映像信号を出力する。
【００１２】
録画装置１６は、ＨＤＤやＳＳＤ等の記録媒体を備えた大容量の録画装置（映像信号蓄積装置）であり、ここでは映像表示装置１の内部に構成される。
音声処理部６は、信号処理部４から出力された音声信号にデコード処理を行い、スピーカ９へ出力する。スピーカ９はデコード処理された音声信号を受信し、音声に変換して出力する。
【００１３】
映像処理部５は、信号処理部４から出力された映像信号にデコード処理を行い、表示処理部７へ出力する。表示処理部７は色や表示位置等の表示処理を行い、表示装置８へ出力する。表示装置８は表示処理された映像信号を受信し、図示しない表示パネル等の表示部に表示する。
【００１４】
また、番組表生成部２２で生成された現在番組表は、表示装置８に表示される。
この実施の形態においては、外部インターフェース１７を介して、映像表示装置１の外部にＨＤＤやＳＳＤ等の記憶媒体を備える外部記憶装置１８が接続され、上記録画装置１６と同様に用いることが可能である。
【００１５】
また、操作受信部１９を介して、リモートコントローラやキーボード等の操作機器２０が接続され、映像表示装置１のユーザ操作が可能である。
また、送受信部２１を介して、インターネット２６に接続され、インターネット通信が可能である。
図２は、実施形態に係わる放送受信装置から出力される、放送中の番組の音声が出力される番組表（現在番組表）の一例を示す図である。
この番組表は、表示装置８に表示される。
符号３５は現在番組表表示の表示例である。
符号３７は現在の日時表示である。現在、12/12 （木） AM 10: 00であることを示している。
符号３２は日時欄である。符号３４ａ、符号３４ｂ、符号３４ｃ、符号３４ｄ、符号３４ｅ、符号３４ｆはそれぞれ日時表示である。
３４ａは12/12（木）ＡＭ10：００−１1：００時、３４ｂは12/12（木）ＡＭ１1：００−１2：００、３４ｃはPＭ１2：００−PM1：００、３４ｄは12/12（木）ＰＭ1：００−2：００、３４ｅはＰＭ2：００−3：００、符号３４ｆはＰＭ3：００−4：００を示している。
【００１６】
符号３１はチャンネル欄である。符号３３ａ、符号３３ｂ、符号３３ｃ、符号３３ｄ、符号３３ｅ、符号３３ｆ、符号３３ｇ、符号３３ｈはそれぞれチャンネル表示である。
【００１７】
３３ａはチャンネルＷＷＷ、３３ｂはチャンネルアットテレビ、３３ｃはチャンネルＭＲＮＶ、３３ｄはチャンネルＣｉｎｅＶ、３３ｅはチャンネルＣｃｎｓ、３３ｆはチャンネルＴｂｃｓ、３３ｇはチャンネルＪＪＣＢ、３３ｈはチャンネルＮＴＶを示している。
【００１８】
また、これらのチャンネル表示に対応して、現在時刻の放送番組が動画で表示されている。
符号３６ａ、符号３６ｂ、符号３６ｃ、符号３６ｄ、符号３６ｅ、符号３６ｆは、符号３６ｇ、符号３６ｈは現在番組の動画表示である。
３６ａはチャンネルＷＷＷの動画表示、３６ｂはチャンネルアットテレビの動画表示、３６ｃはチャンネルＭＲＮＶの動画表示、３６ｄはチャンネルＣｉｎｅＶの動画表示、３６ｅはチャンネルＣｃｎｓの動画表示、３６ｆはチャンネルＴｂｃｓの動画表示、３６ｇはチャンネルＪＪＣＢの動画表示、３６ｈはチャンネルＮＴＶの動画表示である。
【００１９】
符号４０は、現在番組を指定する放送指定表示である。
この実施の形態においては、番組表で、この放送指定表示４０によって指定された放送の音声が出力される。
符号５０は現在時刻を示す表示である。この表示の矢印に示されるように、ここでは、放送指定表示４０は、左右に移動し、現在視聴可能な放送を指定し、指定された放送の音声を出力する。
【００２０】
ここでは、符号３３ｄを付した放送局（チャンネルＣｉｎｅＶ）の現在放送中の番組（映画）が指定されており、この放送の音声が出力される。
放送指定表示４０は、例えば、最後に視聴された放送局で現在放送されている番組が、デフォルトで指定され、表示される。
図３は、実施形態に係わる放送受信装置から出力される番組表（現在番組表）に係り、放送の指定変更に伴い、音声が切替え出力される番組表の一例を示す図である。
【００２１】
ここでは、ユーザが図示しないリモートコントローラ等を用い、上記のように、番組表上を、放送指定表示４０を移動させる。
ここでは、ユーザによって、放送指定表示４０が、上記チャンネルＣｉｎｅＶ（３３ｄ）からチャンネルＴｂｃｓ（３３ｆ）に変更指定される。
そして、チャンネルＴｂｃｓ（３３ｆ）の現在放送中の番組（ワイドショー）が指定されており、この放送の音声が切替え出力される。
図４は、実施形態に係わる映像表示装置に係り、番組表を用い、現在放送中の番組を探すフローチャートである。
符号Ｓ１００は開始ステップである。続いて、符合Ｓ１０１を付したステップへ進む。
符合Ｓ１０１は、ＴＶ１の電源をＯＮにするステップである。続いて、符合Ｓ１０２を付したステップへ進む。
符合Ｓ１０２は、例えば、最後に視聴されたたチャンネル（放送局）ので放送されている番組を表示するステップである。続いて、符合Ｓ１０３を付したステップへ進む。
【００２２】
符合Ｓ１０３は、現在放送されている番組（現在番組）を探すか判断するステップである。現在番組を探すと判断される場合は、符号Ｓ１０４を付したステップへ進む（Ｙｅｓ）。現在番組を探すと判断されない場合は、上記処理を繰り返す（Ｎｏ）
【００２３】
符合Ｓ１０４は、上記同時に受信される複数の放送番組（マルチチャンネル）の、上記現在番組表を表示するステップである。続いて、符合Ｓ１０５を付したステップへ進む。
【００２４】
符合Ｓ１０５は、例えば、デフォルトで、前回放送視聴時に、最後に表示されたチャンネルの放送中の番組を、フォーカス40でフォーカスするステップである。続いて、符合Ｓ１０６を付したステップへ進む。
【００２５】
符合Ｓ１０６は、他のチャンネル（放送）を探すために、番組表で表示される他の放送番組にフォーカス40を移動するステップである。続いて、符合Ｓ１０７を付したステップへ進む。
【００２６】
符合Ｓ１０７は、フォーカス40は、他のチャンネルに移動したかを判断するステップである。フォーカス40は、他のチャンネルに移動したと判断される場合は、符合Ｓ１０８を付したステップへ進む（Ｙｅｓ）。フォーカス40は、他のチャンネルに移動したと判断されない場合は、符合Ｓ１０６を付したステップへ進み、上記処理を繰り返す（Ｎｏ）。
【００２７】
符合Ｓ１０８は、予め決められた時間、他のチャンネル上に停止したかを判別するステップである。予め決められた時間、他のチャンネル上に停止したと判別される場合は、符合Ｓ１０９を付したステップへ進む（Ｙｅｓ）。予め決められた時間、他のチャンネル上に停止したと判別されない場合は、符合Ｓ１０６を付したステップへ進み、上記処理を繰り返す（Ｎｏ）。
【００２８】
符合Ｓ１０９は、音声出力中の放送チャンネルとフォーカス４０が置かれた放送チャンネルは違うかを判別するステップである。音声出力中の放送チャンネルとフォーカス４０が置かれた放送チャンネルは違うと判別される場合は、符合Ｓ１１０を付したステップへ進む（Ｙｅｓ）。音声出力中の放送チャンネルとフォーカス４０が置かれた放送チャンネルは違うと判別されない場合は、符合Ｓ１０６を付したステップへ進み、上記処理を繰り返す（Ｎｏ）。
【００２９】
符合Ｓ１１０は、上記フォーカスされた放送チャンネルへ音声信号を切替えるステップである。続いて、符合Ｓ１１１を付したステップへ進む。
符合Ｓ１１１は、フォーカスされた放送チャンネルの音声を出力するステップである。続いて、符合Ｓ１１２を付したステップへ進む。
符合Ｓ１１２は、終了ステップであり、ここでの処理は終了する。
＜実施例２＞
図５は、実施形態に係わる映像表示装置に係り、番組表ＯＮ時の音声信号選局フローチャートである。
符号Ｓ２００は、開始ステップである。続いて符合Ｓ２０１を付したステップへ進む。
符合Ｓ２０１は、例えば放送視聴中に、現在放送中の複数の放送チャンネルを選択指定可能に表示するマルチ番組表をＯＮにするステップである。続いて符合Ｓ２０２を付したステップへ進む。
【００３０】
符号Ｓ２０２は、視聴中チャンネルとマルチ番組表に初期フォーカスされたチャンネルを比較するステップである。上記のように、マルチ番組表には、ここでは、例えばデフォルトで、前回フォーカス（初期フォーカス）されたチャンネルがフォーカスされる。そして、放送視聴中チャンネルとマルチ番組表に初期フォーカスされたチャンネルが比較される。続いて符合Ｓ２０３を付したステップへ進む。
【００３１】
符号Ｓ２０３は、視聴中チャンネルと上記フォーカスされたチャンネルが違うかを判別するステップである。視聴中チャンネルと上記フォーカスされたチャンネルが違うと判別された場合は、符号Ｓ２０４を付したステップへ進む（Ｙｅｓ）。視聴中チャンネルと上記フォーカスされたチャンネルが違うと判別されない場合は、符号Ｓ２０５を付したステップへ進む（Ｎｏ）。
【００３２】
符号Ｓ２０４は、音声処理部６で処理される音声信号を、視聴中チャンネルからフォーカスチャンネルに切替え選局するステップである。この切替え選局により、フォーカスチャンネルで選択指定されたチャンネルの音声が、スピーカ９から出力される。続いて符合Ｓ２０５を付したステップへ進む。
【００３３】
符号Ｓ２０５は、終了ステップであり、ここでの処理は終了する。
このように構成することにより、音声処理部６で処理される音声信号を、視聴中チャンネルからフォーカスチャンネルに切替え、フォーカスチャンネルで選択指定されたチャンネルの音声が、スピーカ９から出力される。
【００３４】
＜実施例３＞
図６は、実施形態に係わる映像表示装置に係り、番組表ＯＦＦ時の音声選局フローチャートである。
符号Ｓ３００は、開始ステップである。続いて符合Ｓ３０１を付したステップへ進む。
符合Ｓ３０１は、マルチ番組表の表示をＯＦＦにするステップである。続いて符合Ｓ３０２を付したステップへ進む。
符号Ｓ３０２は、番組表表示前に視聴していたチャンネルと番組表にフォーカスされているチャンネルを比較するステップである。続いて符合Ｓ３０３を付したステップへ進む。
【００３５】
符合Ｓ３０３は、番組表表示前に視聴していたチャンネルと番組表にフォーカスされているチャンネルは違うかを判別するステップである。番組表表示前に視聴していたチャンネルと番組表にフォーカスされているチャンネルが違うと判別された場合は符合Ｓ３０４を付したステップへ進む（Ｙｅｓ）。番組表表示前に視聴していたチャンネルと番組表にフォーカスされているチャンネルが違うと判別されない場合は符合Ｓ３０５を付したステップへ進む（Ｎｏ）。
【００３６】
符号Ｓ３０４は、音声処理部６で処理される音声信号を、番組表表示前に視聴していたチャンネルに切替え選局するステップである。この切替え選局により、番組表表示前に視聴していたチャンネルの音声が、スピーカ９から出力される。続いて符合Ｓ３０５を付したステップへ進む。
【００３７】
符合Ｓ３０５は、終了ステップであり、ここでの処理は終了する。
このように構成することにより、音声処理部６で処理される音声信号を、番組表でフォーカスされているチャンネルから番組表表示前に視聴していたチャンネルに切替え、番組表表示前に視聴していたチャンネルの音声が、スピーカ９から出力される。
【００３８】
上記のように構成することによって、この発明の実施の形態においては、放送中番組の番組表で指定可能な放送の、音声を聞くことが可能となる。
なお、上記実施形態は、記述そのものに限定されるものではなく、実施段階では、その趣旨を逸脱しない範囲で、構成要素を種々変形して具体化することが可能である。
【符号の説明】
【００３９】
１…映像表示装置（録画装置）、２…アンテナ、３ａ…チューナ、３b…チューナ、３c…チューナ、３d…チューナ、３e…チューナ、３f…チューナ、４…信号処理部、５…映像処理部、６…音声処理部、７…表示処理部、８…表示装置、９…スピーカ、１０…バス、１１…制御部、１２…ＭＰＵ、１３…ＲＡＭ、１４…ＲＯＭ、１５…フラッシュメモリ、１６…録画装置、１７…外部インターフェース、１８…外部記憶装置、１９…操作受信部、２０…操作機器（リモートコントローラ）、２１…送受信部、２２…録画番組表生成部、２３…番組表作成部、２５ａ…放送局、２５ｂ…放送局、２６…インターネット、３１…チャンネル欄、３２…日時欄、３３ａ…チャンネル表示、３３ｂ…チャンネル表示、３３ｃ…チャンネル表示、３３ｄ…チャンネル表示、３３ｅ…チャンネル表示、３３ｆ…チャンネル表示、３３ｇ…チャンネル表示、３３ｈ…チャンネル表示、３４ａ…日時表示、３４ｂ…日時表示、３４ｃ…日時表示、３４ｄ…日時表示、３４ｅ…日時表示、３４ｆ…日時表示、３５…現在番組表表示例、３６ａ…番組の動画表示、３６ｂ…番組の動画表示、３６ｃ…番組の動画表示、３６ｄ…番組の動画表示、３６ｅ…番組の動画表示、３６ｆ…番組の動画表示、３６ｇ…番組の動画表示、３６ｈ…番組の動画表示、３７…現在の日時表示、４０…放送指定表示、５０…現在時刻表示。
【図１】
2011254364.tif 000003
【図２】
2011254364.tif 000004
【図３】
2011254364.tif 000005
【図４】
2011254364.tif 000006
【図５】
2011254364.tif 000007
【図６】
2011254364.tif 000008